(57)【要約】【課題】本発明は、任意数の店舗における販売商品の売場情報の本部への投稿、本部における売場情報の管理、評価を効率よく行うようにした売場情報投稿管理システムを提供するものである。【解決手段】本発明の売場情報投稿管理システムは、販売商品の管理本部の本部コンピュータ装置１１と、前記管理本部により管理される支店コンピュータ装置１１と、前記管理本部により管理される任意数の店舗の店舗コンピュータ装置２１とが通信ネットワーク２を通じて接続され。前記任意数の店舗コンピュータ装置２１から前記本部コンピュータ装置１１、又は前記支店コンピュータ装置１１へ販売商品に関する当該店舗の販売商品の売場自慢情報、営業注力策情報のようなキャンペーン情報、特売日自慢情報からなる売場画像情報及びその関連情報を含む売場情報を通信ネットワーク２を通じて投稿し、前記本部コンピュータ装置１１により投稿された売場情報を編集、管理するように構成した。【選択図】図１
2019028873.tif 000002
【特許請求の範囲】
【請求項１】
販売商品の管理本部の本部コンピュータ装置と、前記管理本部により管理される支店コンピュータ装置と、前記管理本部により管理される任意数の店舗の店舗コンピュータ装置とが通信ネットワークを通じて接続され。前記任意数の店舗コンピュータ装置から前記本部コンピュータ装置、又は前記支店コンピュータ装置へ販売商品に関する売場画像情報及びその関連情報からなる売場情報を投稿し、前記本部コンピュータ装置により投稿された売場情報を編集。管理する販売商品の売場情報投稿管理システムであって、
前記店舗の店舗コンピュータ装置は、店舗プログラムにより表示手段に表示されるフォーマットに従って当該店舗の販売商品の売場自慢情報、営業注力策情報のようなキャンペーン情報、特売日自慢情報からなる予め用意した売場画像情報及びその関連情報を含む売場情報を入力処理する入力手段と、
入力された売場情報を記憶するとともに、他店舗の売場情報閲覧に基づく他店舗に対する拍手情報を記憶する記憶手段と、
前記売場情報及び拍手情報を前記通信ネットワークを通じて前記本部コンピュータ装置に送信する送受信手段と、
を備え、
前記本部コンピュータ装置又は支店コンピュータ装置は、前記任意数の店舗の店舗コンピュータ装置から送信される前記売場情報及び拍手情報を受信する送受信手段と、
受信した任意数の店舗からの前記売場情報及び拍手情報をシステムプログラムによって編集し、販売商品の店舗別、カテゴリー別で前記拍手情報を集計した拍手数情報を付加した一覧編集情報、個別の詳細情報を作成する編集手段と、
前記編集手段の作成情報を記憶する本部記憶手段と、
前記一覧編集情報、個別の詳細情報を閲覧、確認、各店舗の評価のために画面表示する表示手段と、
を備える、
ことを特徴とする販売商品の売場情報投稿管理システム。
【請求項２】
前記店舗の店舗コンピュータ装置は、前記記憶手段に記憶した自店の売場自慢情報、営業注力策情報のようなキャンペーン情報、特売日自慢情報からなる売場情報、他店舗に対する拍手情報を前記表示手段に表示して確認可能に構成していることを特徴とする請求項１記載の販売商品の売場情報投稿管理システム。
【請求項３】
前記本部コンピュータ装置又は支店コンピュータ装置は、前記拍手数情報を付加した一覧編集情報、個別の詳細情報の評価によるキャンペーン優秀店舗に関するコメント情報を登録し、前記店舗の店舗コンピュータ装置に送信可能に構成していることを特徴とする請求項１又は２記載の販売商品の売場情報投稿管理システム。
【請求項４】
前記店舗の店舗プログラムは、売場情報作成用のフォーマットを表示する処理と、
入力手段により前記フォーマットに従って入力される当該店舗の販売商品の売場自慢情報、営業注力策情報のようなキャンペーン情報、特売日自慢情報からなる予め用意した売場画像情報及びその関連情報を含む売場情報を前記記憶手段に記憶する処理と、
を実行し、
前記本部コンピュータ装置又は支店コンピュータ装置のシステムプログラムは、
受信した任意数の店舗からの前記売場情報及び拍手情報を販売商品の店舗別、カテゴリー別で前記拍手情報を集計した拍手数情報を付加した一覧編集情報、個別の詳細情報に編集する処理と、
前記編集手段の作成情報を本部記憶手段に記憶する処理と、
前記一覧編集情報、個別の詳細情報を表示手段の画面に表示する処理と、
を実行する、
ことを特徴とする販売商品の売場情報投稿管理システム用のプログラム
【発明の詳細な説明】
【技術分野】
【０００１】
本発明は、売場情報投稿管理システム及び該システム用プログラムに関し、詳しくは任意数の店舗における販売商品の売場情報の本部への投稿、本部における売場情報の管理、評価を効率よく行うようにした売場情報投稿管理システム及び該システム用プログラムに関するものである。
【背景技術】
【０００２】
従来のこの種の売場情報の管理システムは、各店舗における担当者が紙面による報告書を作成して本部に送り、本部の管理者が当該報告書を視認、評価したり保管したりする態様が一般的であった。
【０００３】
従来の技術として特許文献１には、ネットワークを介して情報を送受信する情報管理装置と、複数のスタッフが所持する携帯型のスタッフ端末とを備えるビジネス情報収集・閲覧システムであって、前記情報管理装置は、携帯端末より供給されるビジネス情報を受信するビジネス情報受信手段と、前記ビジネス情報受信手段で受信したビジネス情報を記憶するビジネス情報記憶手段と、前記ビジネス情報記憶手段に記憶されたビジネス情報を編集して、閲覧用データを生成する編集手段と、前記編集手段により生成された閲覧用データを、ビジネス戦略検討のために提供する閲覧用データ提供手段と、を備え、前記スタッフ端末は、スタッフが、取得したビジネス情報を入力する入力手段と、前記入力手段により入力されたビジネス情報を、前記情報管理装置に送信する手段と、を備える、ビジネス情報収集・閲覧システムが開示されている。
【０００４】
しかしながら、上記従来のビジネス情報収集・閲覧システムにおいては、多店舗展開で商品販売を行う企業において、個々の店舗における販売商品の売場情報の本部への投稿、本部における各店舗の売場情報の管理、評価をコンピュータ処理にて効率よく遂行するような態様には対応できないものとみられる。
【先行技術文献】
【特許文献】
【０００５】
【特許文献１】特開２００１−３４４４００号公報
【発明の概要】
【発明が解決しようとする課題】
【０００６】
本発明は、上記従来の実情に鑑み開発されたもので、任意数の店舗における販売商品の各種の売場情報の本部への投稿、本部における売場情報の管理、評価をコンピュータ処理可能とし、店舗、本部とも効率よく実行し得る売場情報投稿管理システム及び該システム用プログラムを提供するものである。
【課題を解決するための手段】
【０００７】
本発明は、販売商品の管理本部の本部コンピュータ装置と、前記管理本部により管理される支店コンピュータ装置と、前記管理本部により管理される任意数の店舗の店舗コンピュータ装置とが通信ネットワークを通じて接続され。前記任意数の店舗コンピュータ装置から前記本部コンピュータ装置、又は前記支店コンピュータ装置へ販売商品に関する売場画像情報及びその関連情報からなる売場情報を投稿し、前記本部コンピュータ装置により投稿された売場情報を編集。管理する販売商品の売場情報投稿管理システムであって、前記店舗の店舗コンピュータ装置は、店舗プログラムにより表示手段に表示されるフォーマットに従って当該店舗の販売商品の売場自慢情報、営業注力策情報のようなキャンペーン情報、特売日自慢情報からなる予め用意した売場画像情報及びその関連情報を含む売場情報を入力処理する入力手段と、入力された売場情報を記憶するとともに、他店舗の売場情報閲覧に基づく他店舗に対する拍手情報を記憶する記憶手段と、前記売場情報及び拍手情報を前記通信ネットワークを通じて前記本部コンピュータ装置に送信する送受信手段と、を備え、前記本部コンピュータ装置又は支店コンピュータ装置は、前記任意数の店舗の店舗コンピュータ装置から送信される前記売場情報及び拍手情報を受信する送受信手段と、受信した任意数の店舗からの前記売場情報及び拍手情報をシステムプログラムによって編集し、販売商品の店舗別、カテゴリー別で前記拍手情報を集計した拍手数情報を付加した一覧編集情報、個別の詳細情報を作成する編集手段と、前記編集手段の作成情報を記憶する本部記憶手段と、前記一覧編集情報、個別の詳細情報を閲覧、確認、各店舗の評価のために画面表示する表示手段と、を有することを最も主要な特徴とする。
【発明の効果】
【０００８】
請求項１記載の発明によれば、任意数の店舗における販売商品の各種の売場情報の本部への投稿処理、本部における売場情報の管理、評価をコンピュータ処理により効率よく実行し得る販売商品の売場情報投稿管理システムを実現し、提供することができる。
【０００９】
請求項２記載の発明によれば、特に個々の店舗において、自店の売場自慢情報、営業注力策情報のようなキャンペーン情報、特売日自慢情報からなる売場情報、他店舗に対する拍手情報を表示手段に表示して確認可能にしているので、自店舗の売場の販売状況の把握、確認を通じてより一層の販売促進を図ることが可能な販売商品の売場情報投稿管理システムを実現し、提供することができる。
【００１０】
請求項３記載の発明によれば、本部コンピュータ装置又は支店コンピュータ装置は、前記拍手数情報を付加した一覧編集情報、個別の詳細情報の評価によるキャンペーン優秀店舗に関するコメント情報を登録し、前記店舗の店舗コンピュータ装置に送信可能に構成しているので、管理下にある各店舗の評価に応じたキャンペーン優秀店舗に関する情報を各店舗に送信することで各店舗全体の一層の販売促進に資することができることが可能な販売商品の売場情報投稿管理システムを実現し、提供することができる。
【００１１】
請求項４記載の発明によれば、本発明の販売商品の売場情報投稿管理システムによる一連の処理を的確に実行することができる販売商品の売場情報投稿管理システム用のプログラムを実現し、提供することができる。
【図面の簡単な説明】
【００１２】
【図１】図１は本発明の実施例に係る販売商品の売場情報投稿管理システムの全体の構成を示す概略ブロック図である。概略ブロック図である。
【図２】図２は本実施例に係る本部コンピュータ装置の構成を示す概略ブロック図である。
【図３】図３は本実施例に係る店舗コンピュータ装置の構成を示す概略ブロック図である。
【図４】図４は本実施例に係る店舗コンピュータ装置におけるログイン処理の画面遷移を示す画面説明図である。
【図５】図５は本実施例に係る店舗コンピュータ装置における総合ＴＯＰページの画面説明図である。
【図６】図６は本実施例に係る店舗コンピュータ装置における売場自慢ＴＯＰページの画面説明図である。
【図７】図７は本実施例に係る店舗コンピュータ装置における投稿画面の画面説明図である。
【図８】図８は本実施例に係る店舗コンピュータ装置におけるデータベース絞り込み画面の画面説明図である。
【図９】図９は本実施例に係る店舗コンピュータ装置におけるキャンペーン優秀店舗（閲覧）画面の画面説明図である。
【図１０】図１０は本実施例に係る店舗コンピュータ装置におけるキャンペーン優秀店舗投稿画面の画面説明図である。
【図１１】図１１は本実施例に係る店舗コンピュータ装置における営業注力策の投稿画面の画面説明図である。
【図１２】図１２は本実施例に係る店舗コンピュータ装置における営業注力策の投稿画面の画面説明図である。
【図１３】図１３は本実施例に係る店舗コンピュータ装置における店舗の特売日自慢の投稿内容概略画面の画面説明図である。
【図１４】図１４は本実施例に係る店舗コンピュータ装置におけるログインの各種流れを示す画面遷移の説明図である。
【図１５】図１５は本実施例に係る店舗コンピュータ装置における画像（写真）投稿の流れを示す画面遷移の説明図である。
【図１６】図１６は本実施例に係る店舗コンピュータ装置における画像閲覧の流れ示す画面遷移の説明図である。
【図１７】図１７は本実施例に係る店舗コンピュータ装置におけるキャンペーン報告内容に関するログインの流れを示す画面遷移の説明図である。
【図１８】図１８は本実施例に係る店舗コンピュータ装置におけるキャンペーン優秀店舗報告の画像投稿に関する流れを示す画面遷移の説明図である。
【図１９】図１９は本実施例に係る店舗コンピュータ装置におけるキャンペーン優秀店舗の投稿画像閲覧に関する流れを示す画面遷移の説明図である。
【図２０】図２０は本実施例に係る店舗コンピュータ装置における営業注力策の画像投稿の流れを示す画面遷移の説明図である。
【図２１】図２１は本実施例に係る店舗コンピュータ装置における営業注力策の画像閲覧の流れを示す画面遷移の説明図である。
【図２２】図２２は本実施例に係る本部コンピュータ装置におけるログイン処理の画面遷移を示す画面説明図である。
【図２３】図２３は本実施例に係る本部コンピュータ装置における総合ＴＯＰページの画面説明図である。
【図２４】図２４は本実施例に係る本部コンピュータ装置における売場自慢ＴＯＰページの画面説明図である。
【図２５】図２５は本実施例に係る本部コンピュータ装置におけるデータベース閲覧ページの画面説明図である。
【図２６】図２６は本実施例に係る本部コンピュータ装置におけるデータベースの絞り込み条件を示す説明図である。
【図２７】図２７は本実施例に係る本部コンピュータ装置における登録されている各店舗からの投稿分の確認画面の画面遷移を示す画面説明図である。
【図２８】図２８は本実施例に係る本部コンピュータ装置における投稿数（店舗の利用状況）確認画面の画面説明図である。
【図２９】図２９は本実施例に係る本部コンピュータ装置におけるキャンペーン優秀店舗の閲覧画面の画面遷移を示す画面説明図である。
【図３０】図３０は本実施例に係る本部コンピュータ装置における営業注力策絞り込みページの画面説明図である。
【図３１】図３１は本実施例に係る本部コンピュータ装置における店舗の営業注力策閲覧処理の画面遷移を示す画面説明図である。
【図３２】図３２は本実施例に係る本部コンピュータ装置における店舗の特売日自慢に関する一覧表示画面の画面説明図である。
【図３３】図３３は本実施例に係る本部コンピュータ装置におけるログイン処理の各種の画面遷移を示す画面説明図である。
【図３４】図３４は本実施例に係る本部コンピュータ装置における店舗状況利用状況確認の流れを示す画面遷移を示す画面説明図である。
【図３５】図３５は本実施例に係る本部コンピュータ装置における店舗状況利用状況（カテゴリー毎のエントリー）確認の流れを示す画面遷移を示す画面説明図である。
【図３６】図３６は本実施例に係る本部コンピュータ装置における店舗状況利用状況（他店舗からの閲覧が多い店舗）確認の流れを示す画面遷移を示す画面説明図である。
【図３７】図３７は本実施例に係る本部コンピュータ装置におけるキャンペーン報告閲覧のためのログインの流れを示す画面遷移を示す画面説明図である。
【図３８】図３８は本実施例に係る本部コンピュータ装置におけるキャンペーン報告店舗の投稿画像閲覧の流れを示す画面遷移を示す画面説明図である。
【図３９】図３９は本実施例に係る本部コンピュータ装置におけるキャンペーン報告店舗の営業注力策に関する投稿画像閲覧の流れを示す画面遷移を示す画面説明図である。
【図４０】図４０は本実施例に係る本部コンピュータ装置と同様な支店コンピュータ装置におけるキャンペーン報告店舗の営業注力策に関する投稿画像閲覧の流れを示す画面遷移を示す画面説明図である。
【発明を実施するための形態】
【００１３】
本発明は、任意数の店舗における販売商品の売場情報の本部への投稿、本部における売場情報の管理、評価を効率よく行うようにした売場情報投稿管理システムを実現し提供するという目的を、販売商品の管理本部の本部コンピュータ装置と、前記管理本部により管理される支店コンピュータ装置と、前記管理本部により管理される任意数の店舗の店舗コンピュータ装置とが通信ネットワークを通じて接続され。前記任意数の店舗コンピュータ装置から前記本部コンピュータ装置、又は前記支店コンピュータ装置へ販売商品に関する売場画像情報及びその関連情報からなる売場情報を投稿し、前記本部コンピュータ装置により投稿された売場情報を編集。管理する販売商品の売場情報投稿管理システムであって、前記店舗の店舗コンピュータ装置は、店舗プログラムにより表示手段に表示されるフォーマットに従って当該店舗の販売商品の売場自慢情報、営業注力策情報のようなキャンペーン情報、特売日自慢情報からなる予め用意した売場画像情報及びその関連情報を含む売場情報を入力処理する入力手段と、入力された売場情報を記憶するとともに、他店舗の売場情報閲覧に基づく他店舗に対する拍手情報を記憶する記憶手段と、前記売場情報及び拍手情報を前記通信ネットワークを通じて前記本部コンピュータ装置に送信する送受信手段と、を備え、前記本部コンピュータ装置又は支店コンピュータ装置は、前記任意数の店舗の店舗コンピュータ装置から送信される前記売場情報及び拍手情報を受信する送受信手段と、受信した任意数の店舗からの前記売場情報及び拍手情報をシステムプログラムによって編集し、販売商品の店舗別、カテゴリー別で前記拍手情報を集計した拍手数情報を付加した一覧編集情報、個別の詳細情報を作成する編集手段と、前記編集手段の作成情報を記憶する本部記憶手段と、前記一覧編集情報、個別の詳細情報を閲覧、確認、各店舗の評価のために画面表示する表示手段と、を有する構成とし、更に前記店舗の店舗コンピュータ装置は、前記記憶手段に記憶した自店の前記売場自慢情報、営業注力策情報のようなキャンペーン情報、特売日自慢情報からなる売場情報、他店舗に対する拍手情報を前記表示手段に表示して確認可能に構成し、前記本部コンピュータ装置又は支店コンピュータ装置は、前記拍手数情報を付加した一覧編集情報、個別の詳細情報の評価によるキャンペーン優秀店舗に関するコメント情報を登録し、前記店舗の店舗コンピュータ装置に送信可能に構成することにより実現した。
【実施例】
【００１４】
以下、図面を参照して、本発明の実施例に係る販売商品の売場情報投稿管理システム及びプログラムについて説明する。
【００１５】
本実施例に係る販売商品の売場情報投稿管理システム１は、販売商品の管理本部の本部コンピュータ装置１１と、前記管理本部により管理される支店コンピュータ装置１１と、前記管理本部により管理される任意数の店舗の店舗コンピュータ装置２１とが通信ネットワーク２を通じて接続され、前記任意数の店舗コンピュータ装置２１から前記本部コンピュータ装置１１、又は前記支店コンピュータ装置１１へ販売商品に関する当該店舗の販売商品の売場自慢情報（特に自慢したい自店の売場のレイアウトや宣伝広告用物品の画像情報等）、営業注力策情報（特に販売促進に力を入れている宣伝広告用物品の画像情報等）のようなキャンペーン情報、特売日自慢情報（販売促進のために選定した店舗記念日等のような特定の日の売場の宣伝広告用物品の画像情報等）からなる予め用意した売場画像情報及びその関連情報を含む売場情報を通信ネットワーク２を通じて投稿（送信）し、前記本部コンピュータ装置１１により投稿された売場情報を編集、管理するように構成している。
【００１６】
前記本部コンピュータ装置（又は支店コンピュータ装置）１１は、図２に示すように、システムプログラムを搭載したプログラムメモリ１２と、全体の制御を行う制御部１３と、インターネットのような通信ネットワーク２を通じて任意数の店舗コンピュータ装置２１からの売場情報を受信する送受信手段１４と、受信した売場情報を前記システムプログラムに基づいて編集した編集売場情報を生成する編集手段１５と、各種情報を入力する入力手段１６と、表示手段１７と、前記編集売場情報を記憶する本部記憶手段（データベース）１８と、を有している。
【００１７】
前記任意数の店舗コンピュータ装置２１は、図３に示すように、店舗用プログラムを搭載したプログラムメモリ２２と、店舗コンピュータ装置２１の全体の制御を行う制御部２３と、通信ネットワーク２を通じて自己の店舗の売場情報を送信する送受信手段２４と、各種情報を記憶する記憶手段２５と、各種情報を入力する入力手段２６と、表示手段２７と、撮像手段用インターフェース２８と、を備えている。
【００１８】
そして、デジタルカメラのような撮像手段２９を付加し、この撮像手段２９にて撮像した売場の画像情報を有線又は無線にて前記撮像手段用インターフェース２８を通じて店舗コンピュータ装置２１に送信するように構成している。
【００１９】
次に、本実施例の売場情報投稿管理システム１の一連の処理の流れについて場合を分けて説明する。
【００２０】
（店舗コンピュータ装置２１における売場情報等の一連の処理）
店舗コンピュータ装置２１の担当者が、図４に示すように、この店舗コンピュータ装置２１において所定のＵＲＬにアクセスし、パスワードを設定し又は既存のパスワード、部署コードを入力すると自動でログインし、前記表示手段２７の画面には総合ＴＯＰページが表示される。
【００２１】
総合ＴＯＰページにおいては、図４、図５に示すように、売場自慢、キャンペーン報告、特売日自慢の選択ボタンが表示される。
【００２２】
図５に示す総合ＴＯＰページで売場自慢を選択すると、前記表示手段２７の画面には図６に示すＴＯＰ、投稿、データベース等の選択項目を有する売場自慢ＴＯＰページが表示される。
【００２３】
また、売場自慢ＴＯＰページにおいては、その日に投稿された各店舗の売場自慢情報がリスト表示される。
この場合の表示項目は、売場自慢の投稿画像（投稿写真）、投稿年月日、支店名、都道府県、店舗名、カテゴリー、詳細ボタン等が有り、また、良いと思った投稿分（他の店舗の投稿分等）に拍手情報を贈るための拍手ボタンもある。
【００２４】
既述した総合ＴＯＰページで売場自慢を選択した後、図６に示す売場自慢ＴＯＰページが表示され、ここで投稿を選択すると、図７に示すように、投稿画面が表示される。
【００２５】
ここで、用意しておいた画像を取り込み、登録するカテゴリー、投稿年月日、アピールするポイントを登録してアップロードボタンを押すことで投稿完了となる。
【００２６】
売場自慢ＴＯＰページで、データベースを選択すると図８に示すデータベースの閲覧のためのデータベース絞り込み画面となる。
【００２７】
この場合の絞り込み条件は、カテゴリー別、投稿時期、支店別、店舗名別である。また、チェック済み又は未チェックの確認もできる。
【００２８】
また、総合ＴＯＰページでキャンペーン報告を選択すると、既述したキャンペーン報告ＴＯＰページが表示され、ここでキャンペーン優秀店舗ボタンを押すと、図９に示すように、複数のカテゴリー選択ボタンを備えたキャンペーン優秀店舗（閲覧）画面が表示される。
【００２９】
ここで、特定のカテゴリーボタンを押すと画面には、閲覧ボタン、又は投稿及び閲覧ボタン（優秀店舗の場合）が表示される。
【００３０】
これらの画面で閲覧ボタンを押すとキャンペーン優秀店舗の投稿画像を閲覧することができる。
【００３１】
また、既述した総合ＴＯＰページでキャンペーン報告を選択すると、既述したキャンペーン報告ＴＯＰページが表示され、ここに本部選定によるキャンペーン優秀店舗ボタンが表示される場合には、更にキャンペーン優秀店舗ボタンを押すと、投稿ボタンが表示されて、これを押すことで図１０に示すような投稿画面となり、カテゴリー、キャンペーン期間、店舗名、キャンペーン用の画像等が登録でき、これらの登録によりそのキャンペーン優秀店舗のキャンペーン内容を投稿することができる。
【００３２】
総合ＴＯＰページでキャンペーン報告を選択すると、キャンペーン報告ＴＯＰページが表示され、ここで，営業注力策を選択すると、更に複数のカテゴリー選択ボタンが表示される。
【００３３】
更に、特定のカテゴリー選択ボタンを押すと、未登録の場合は投稿ボタンが表示され、また、投稿が途中段階のカテゴリーは例えばピンク色で表示され、投稿が完了したカテゴリーは例えばグレーで表示される。
【００３４】
次に、投稿すべきカテゴリーの選択ボタンを押すと、図１１右欄に示すような投稿画面になり、カテゴリー、キャンペーン期間、店舗名、事前に用意したキャンペーン用の画像等を登録することで、特定のカテゴリーのキャンペーン内容を投稿することができる。
【００３５】
総合ＴＯＰページでキャンペーン報告を選択すると、キャンペーン報告ＴＯＰページが表示され、ここで営業注力策を選択すると、更に複数のカテゴリー選択ボタンが表示される。
【００３６】
ここで、特定のカテゴリーを選択すると自店舗閲覧ボタンが表示され、この自店舗閲覧ボタンを押すことで、図１２に示す自店舗の特定のカテゴリーの画像を含むキャンペーン内容の詳細画面が表示され、確認することができる。
【００３７】
図１３は店舗の特売日自慢の投稿内容を概略的に示すものである。この場合の表示項目は、特売日自慢の投稿画像（投稿写真）、投稿年月日、支店名、都道府県、店舗名、カテゴリー等である。
【００３８】
次に、店舗コンピュータ装置２１の一連の処理の流れについて図１４乃至図２１を参照して更に説明する。
【００３９】
図１４は店舗コンピュータ装置２１によるログインの各種流れを示すものであり、担当者が、図１４に示すように、この店舗コンピュータ装置２１において所定のＵＲＬにアクセスし、パスワードを設定し又は既存のパスワード、部署コードを入力すると自動でログインし、図１４に示す各種の画面遷移処理を実行できる。
【００４０】
すなわち、ログインボタンを押し、店舗コード、パスワードを入力して総合ＴＯＰページを表示したり、初回はログインボタンを押し、店舗コード、メールアドレス、パスワードを入力して総合ＴＯＰページを表示したり、更には、パスワードの変更画面を表示したりすることができる。
【００４１】
図１５は店舗コンピュータ装置２１による画像（写真）投稿の流れを示すもので、総合ＴＯＰページを表示手段２７に表示し、事前に用意した画像をアップロードし、必要事項を入力してエントリーすることで、投稿完了となる。
【００４２】
図１６は店舗コンピュータ装置２１による画像（写真）閲覧の流れを示すもので、総合ＴＯＰページを表示手段２７に表示し、各店舗からのエンシリー分をコーナー、月日、店舗名で絞り込み、応募内容の詳細画面を表示して確認することができる。
【００４３】
図１７は店舗コンピュータ装置２１によるキャンペーン報告内容に関するログインの流れを示すもので、初回登録専用ＵＲＬにアクセスし、店舗コード、メールアドレス、パスワードを登録し、次に店舗コード、パスワードを入力してログインする。
【００４４】
すると、表示手段２７の画面は総合ＴＯＰページとなり、ここでキャンペーン報告ボタンを押すと、キャンペーン優秀店舗、営業注力策のボタンを備えたキャンペーン報告ＴＯＰページを表示することができる。
【００４５】
図１８は店舗コンピュータ装置２１によるキャンペーン優秀店舗報告の画像投稿に関する流れを示すものであり、キャンペーン報告ＴＯＰページを表示手段２７に表示し、キャンペーン報告を選択するとキャンペーン報告カテゴリー選択ページとなり、特定のカテゴリーの欄を選択するとキャンペーン報告選択ページとなり、ここで報告を選択すると画像のアップロードページに遷移し、ここで事前に用意した画像をアップロードすると必要事項入力ページとなり、ここで必要事項を入力し確認ボタンを押すことでキャンペーン優秀店舗報告の画像投稿終了となる。
【００４６】
図１９は店舗コンピュータ装置２１によるキャンペーン優秀店舗の投稿画像閲覧に関する流れを示すものであり、キャンペーン報告ＴＯＰページを表示手段２７に表示し、キャンペーン報告を選択するとキャンペーン報告カテゴリー選択ページとなり、特定のカテゴリーの欄を選択するとキャンペーン報告選択ページとなり、ここでキャンペーン優秀店舗を選択するとキャンペーン優秀店舗の投稿画像の詳細確認を行うことができ、また、詳細コメントの登録を行うこともできる。
【００４７】
図２０は店舗コンピュータ装置２１による営業注力策の画像投稿の流れを示すものであり、キャンペーン報告ＴＯＰページを表示手段２７に表示し、営業注力策を選択するとキャンペーン報告カテゴリー選択ページとなり、特定のカテゴリーの欄を選択するとカテゴリー内全店舗ページとなり、ここで投稿を選択するとアップロードページとなり、事前に用意した各構図の画像を取り込みアップロードボタンを押すことで営業注力策の画像投稿が完了する。
【００４８】
図２１は店舗コンピュータ装置２１による営業注力策の画像閲覧の流れを示すものであり、キャンペーン報告ＴＯＰページを表示手段２７に表示し、営業注力策を選択するとキャンペーン報告カテゴリー選択ページとなり、特定のカテゴリーの欄を選択するとカテゴリー内全店舗ページとなり、ここで閲覧ボタン押すと営業注力策に関する投稿画像の詳細を確認できる。
【００４９】
（本部コンピュータ装置１１における売場情報等の一連の処理）
次に、本部コンピュータ装置１１の一連の処理の流れについて説明する。
【００５０】
本部コンピュータ装置１１の管理者が、図２２に示すように、この本部コンピュータ装置１１において所定のＵＲＬにアクセスし、パスワードを設定し又は既存のパスワード、部署コードを入力すると自動でログインし、前記表示手段１７の画面には図２３に示すように総合ＴＯＰページが表示される。
【００５１】
図２３に示す総合ＴＯＰページでは、選択項目としては、売場自慢、キャンペーン報告、特売日自慢がある。
【００５２】
総合ＴＯＰページで売場自慢を選択すると、前記表示手段１７の画面には図２４に示す売場自慢ＴＯＰページが表示される。
【００５３】
ここでの選択項目としてはＴＯＰ、本部記憶手段１８であるデータベース、投稿数がある。また、この売場自慢ＴＯＰページでは、その日に投稿された売場情報である各店舗の売場自慢情報がリスト表示される。
【００５４】
各店舗の売場自慢情報の表示項目は、投稿画像（投稿写真）、投稿年月日、店舗名、カテゴリー等である。
【００５５】
更に、前記リスト表示には各欄について他の店舗から評価された数である拍手数欄、投稿の詳細を確認するための詳細ボタンも表示される。
【００５６】
更に、売場自慢ＴＯＰページに表示されるデータをファイルに記憶するためのエントリーＣＳＶダウンロードボタンもある。
【００５７】
既述した売場自慢ＴＯＰページで、データベースを選択すると図２５に示すデータベースの閲覧のためのデータベース絞り込み画面となる。
【００５８】
絞り込み条件は、投稿時期、支店別、企業別、店舗名別、評価順、カテゴリー別等である。また、チェック済み又は未チェックを確認することもできる。
【００５９】
図２６は、絞り込みメニューの詳細を示すものである。絞り込み項目としてはカテゴリー、支店、投稿年月日、店舗の各項目がある。
【００６０】
既述した総合ＴＯＰページで売場自慢ボタンを選択し、更に売場自慢ＴＯＰページで投稿数を選択し、店舗名で絞り込むと、図２７に示すように、現在登録されている投稿分が投稿数順に表示され、更にこの画面で投稿状況確認ボタンを押すと個々の店舗毎のアクセスや投稿の詳細が表示され、確認できる。
【００６１】
既述した総合ＴＯＰページで売場自慢ボタンを選択し、更に売場自慢ＴＯＰページで投稿数を選択し、カテゴリー別で絞り込むと、図２８に示すように、画面に販売商品のカテゴリー毎の店舗からのアクセス状況が一覧表示される。
【００６２】
更に、この画面で投稿状況確認ボタンを押すとそのカテゴリーへの投稿数が多い順に店舗一覧が表示される。これにより、販売商品のカテゴリー別の利用状況を把握することができる。
【００６３】
既述した総合ＴＯＰページでキャンペーン報告を選択すると、キャンペーン報告ＴＯＰページが表示され、ここでキャンペーン優秀店舗を選択すると、図２９に示すように、カテゴリー別の選択ボタンが表示される。この画面で特定のカテゴリーを選択すると、そのカテゴリーの優秀店舗の詳細が表示される。
【００６４】
これにより、販売商品のカテゴリー別の優秀店舗の詳細を確認できる。
【００６５】
既述した総合ＴＯＰページでキャンペーン報告を選択すると、キャンペーン報告ＴＯＰページが表示され、ここで営業注力策を選択すると、図３０に示すように営業注力策絞り込みページが表示され、ここで店舗名等任意の絞り込み条件で絞りこむことができる。
【００６６】
また、既述した総合ＴＯＰページでキャンペーン報告を選択すると、キャンペーン報告ＴＯＰページが表示され、ここで営業注力策を選択すると各店舗の営業注力策の一覧が表示され、ここである欄の詳細ボタンを押すと、図３１に示すように、対応する店舗の営業注力策閲覧画面となる。これにより、当該店舗の営業注力策の詳細を確認できる。
【００６７】
総合ＴＯＰページで特売日自慢を選択すると、図３２に示すように、その日に投稿された各店舗の特売日自慢の内容が一覧表示される。
【００６８】
次に、本部コンピュータ装置１１の一連の処理の流れについて図３３乃至図４０を参照して更に説明する。
【００６９】
本部コンピュータ装置１１によるログインの各種流れを示すもので、管理者が、図３３に示すように、この本部コンピュータ装置１１において所定のＵＲＬにアクセスし、パスワードを設定し又は既存のパスワード、部署コードを入力すると自動でログインし、図３３に示す各種の画面遷移処理を実行できる。
【００７０】
すなわち、所定のＵＲＬにアクセスしログインボタンを押し、ＩＤ、パスワードを入力して総合ＴＯＰページを表示したり、初回はＩＤ、メールアドレス、パスワードを登録しログインして総合ＴＯＰページを表示したり、パスワードの変更画面を表示したりすることができる。
【００７１】
図３４は本部コンピュータ装置１１における投稿分に関する審査、閲覧の流れを示すものであり、表示手段１７に表示される総合ＴＯＰページで各店舗からのエントリー分をコーナー、月日、店舗名で絞り込み絞り込み結果を一覧表示したり、絞り込んだ各店舗のエントリー分の詳細を閲覧し評価コメントを登録したりすることができる。
【００７２】
図３５は本部コンピュータ装置１１における店舗状況利用状況確認の流れを示すものであり、表示手段１７に表示される総合ＴＯＰページから店舗一覧を表示し、店舗毎のアクセス数の詳細、カテゴリー毎のエントリー一覧を表示し、これらを閲覧し評価することができる。
【００７３】
図３６は本部コンピュータ装置１１における他店舗からの閲覧が多い店舗等の閲覧処理の流れを示すものであり、表示手段１７に表示される総合ＴＯＰページから閲覧されている店舗の一覧表示、当該店舗の売場の画像を見ている店舗の一覧表示、当該店舗のカテゴリー毎のエントリー一覧を表示し、これらを閲覧し評価することができる。
【００７４】
この場合、他店舗からの閲覧が多い店舗の売場情報はディスプレイを参考にされている店舗と評価でき、また、当該店舗の売場の画像を見ている店舗は本実施例の売場情報投稿管理システム１の内容をよく理解している店舗と評価できる。
【００７５】
図３７は本部コンピュータ装置１１におけるキャンペーン報告閲覧のためのログインの流れを示すものであり、管理者は初回の場合、初回登録用のＵＲＬにアクセスしＩＤ、メールアドレス、パスワードを入力して登録し、次にＩＤ、パスワードを入力してログインし、総合ＴＯＰページを表示したり、総合ＴＯＰページでキャンペーン報告を選択し、キャンペーン報告ＴＯＰページを表示したりすることができる。
【００７６】
図３８は本部コンピュータ装置１１におけるキャンペーン報告店舗の投稿画像閲覧の流れを示すものであり、管理者は表示手段１７に表示されるキャンペーン報告ＴＯＰページからキャンペーン報告店舗一覧を表示したり、この一覧画面から所望の店舗の投稿画像詳細を表示して。これらを閲覧し、確認することができる。
【００７７】
図３９は本部コンピュータ装置１１におけるキャンペーン報告店舗の営業注力策に関する投稿画像閲覧の流れを示すものであり、管理者は表示手段１７に表示されるキャンペーン報告ＴＯＰページから営業注力策を選択することで、特定のカテゴリー内店舗一覧を表示し、更に所望の店舗における営業注力策に関する画像の詳細を表示し、営業注力策に関する画像の詳細を閲覧し確認することができる。
【００７８】
図４０は本部コンピュータ装置１１と同様な支店コンピュータ装置１１における営業注力策に関する投稿画像閲覧の流れを示すものであり、管理者は表示手段１７に表示されるキャンペーン報告ＴＯＰページから営業注力策を選択することで、特定のカテゴリー内店舗一覧を表示し、更に所望の店舗における営業注力策に関する画像の詳細を表示し、営業注力策に関する画像の詳細を閲覧し確認することができる。
【００７９】
なお、上述した図２１乃至図３２、及び図３３乃至図３９に示す本部コンピュータ装置１１の処理は、本部コンピュータ装置１１と同様な支店コンピュータ装置１１においても同様に行われる。
【００８０】
本実施例に係る販売商品の売場情報投稿管理システム１用のプログラムは、店舗プログラムは、売場情報作成用のフォーマットを表示手段２７に表示する処理と、入力手段２６により前記フォーマットに従って入力される当該店舗の販売商品の売場自慢情報、営業注力策情報のようなキャンペーン情報、特売日自慢情報からなる予め用意した売場画像情報及びその関連情報を含む売場情報を前記記憶手段２５に記憶する処理と、を実行し、システムプログラムにより、受信した任意数の店舗からの前記売場情報及び拍手情報を販売商品の店舗別、カテゴリー別で前記拍手情報を集計した拍手数情報を付加した一覧編集情報、個別の詳細情報に編集手段１５により編集する処理と、前記編集手段１５の作成情報を本部記憶手段１８に記憶する処理と、前記一覧編集情報、個別の詳細情報を表示手段１７の画面に表示する処理と、を実行するように構成している。
【００８１】
これにより、本実施例に係る販売商品の売場情報投稿管理システム１による一連の処理を的確に実行することができる。
【００８２】
以上説明した本実施例に係る販売商品の売場情報投稿管理システム１によれば、以下の効果を奏する。
すなわち、本実施例に係る販売商品の売場情報投稿管理システム１によれば、各店舗からの売場情報の本部への投稿処理、本部における売場情報の管理、評価を各々紙面情報でなくコンピュータ処理により効率よく実行することができる。
【００８３】
また、個々の店舗において、自店の売場自慢情報、営業注力策情報のようなキャンペーン情報、特売日自慢情報からなる売場情報、他店舗に対する拍手情報を表示手段に表示して確認可能にしているので、自店舗の売場の販売状況の把握、確認を通じてより一層の販売促進を図ることが可能となる。
【００８４】
更に、本部コンピュータ装置１１又は支店コンピュータ装置１１を使用して管理下にある各店舗の評価に応じたキャンペーン優秀店舗に関する情報を各店舗に送信することで各店舗全体の一層の販売促進に資することが可能となる。
【産業上の利用可能性】
【００８５】
本発明は、例えば車両部品、電気電子機器及びその部品等のような広範な種類の販売商品を多数の店舗展開で遂行している企業における販売商品の売場情報投稿管理システムとして広範に活用可能である。
【符号の説明】
【００８６】
１    売場情報投稿管理システム
２    通信ネットワーク
１１    本部コンピュータ装置（又は支店コンピュータ装置）
１２    プログラムメモリ
１３    制御部
１４    送受信手段
１５    編集手段
１６    入力手段
１７    表示手段
１８    本部記憶手段（データベース）
２１    店舗コンピュータ装置
２２    プログラムメモリ
２３    制御部
２４    送受信手段
２５    記憶手段
２６    入力手段
２７    表示手段
２８    撮像手段用インターフェース
２９    撮像手段
【図１】
2019028873.tif 000003
【図２】
2019028873.tif 000004
【図３】
2019028873.tif 000005
【図４】
2019028873.tif 000006
【図５】
2019028873.tif 000007
【図６】
2019028873.tif 000008
【図７】
2019028873.tif 000009
【図８】
2019028873.tif 000010
【図９】
2019028873.tif 000011
【図１０】
2019028873.tif 000012
【図１１】
2019028873.tif 000013
【図１２】
2019028873.tif 000014
【図１３】
2019028873.tif 000015
【図１４】
2019028873.tif 000016
【図１５】
2019028873.tif 000017
【図１６】
2019028873.tif 000018
【図１７】
2019028873.tif 000019
【図１８】
2019028873.tif 000020
【図１９】
2019028873.tif 000021
【図２０】
2019028873.tif 000022
【図２１】
2019028873.tif 000023
【図２２】
2019028873.tif 000024
【図２３】
2019028873.tif 000025
【図２４】
2019028873.tif 000026
【図２５】
2019028873.tif 000027
【図２６】
2019028873.tif 000028
【図２７】
2019028873.tif 000029
【図２８】
2019028873.tif 000030
【図２９】
2019028873.tif 000031
【図３０】
2019028873.tif 000032
【図３１】
2019028873.tif 000033
【図３２】
2019028873.tif 000034
【図３３】
2019028873.tif 000035
【図３４】
2019028873.tif 000036
【図３５】
2019028873.tif 000037
【図３６】
2019028873.tif 000038
【図３７】
2019028873.tif 000039
【図３８】
2019028873.tif 000040
【図３９】
2019028873.tif 000041
【図４０】
2019028873.tif 000042